(57)【要約】      （修正有） 【課題】Ａ４サイズの紙を複数回折りたたんだ形状の用紙をブックカバーの様に保護するバンド固定式手帳を提供する。【解決手段】折りたたみ型の手帳１０１で、手帳表面には紙を収納でき、当該紙は内容が見え、書き込み可能とする窓枠状の開口部１０２１のある収納ポケット１０２を備える。さらに、手帳を開いた場合に手帳中央部上下に紙を挟みこめるバンド１０３を備え、当該紙は、内容が見え、書き込むことができる収納ポケット付手帳とする。【選択図】図１
0003165618.tif 000002
【実用新案登録請求の範囲】
【請求項１】
折りたたみ型の手帳で、手帳の表側には紙を収納でき、手帳の表側から当該紙の内容が見え、書き込み可能とする窓枠状の開口部のある収納ポケットを備え、手帳を開いた場合に、手帳の中央部上下に紙を挟みこめるバンド紐を備え、当該紙は、内容が見え、書き込むことができ、利用用途に応じて紙をバンド紐による固定するか、もしくは収納ポケットへの収納するかを選択できることを特徴とする収納ポケット付手帳。
【請求項２】
前記収納ポケットには、Ａ４サイズの紙を折りたたんだＡ７サイズの紙を収納でき、手帳を開いた場合、Ａ４サイズの紙を折りたたんだＡ６サイズの紙を挟みこむことを特徴とする請求項１記載の収納ポケット付手帳。
【考案の詳細な説明】
【技術分野】
【０００１】
本考案は、折りたたんだ紙をバンドによって固定するブックカバー様の手帳に折りたたんだ紙を収納できる収納ポケットを備えたポケット付手帳に関する。
【背景技術】
【０００２】
従来、小型のノートを手帳として活用するために、様々な方式の手帳が考案されている。例えば、ノートの表紙、裏表紙をブックカバーに収納した手帳、手帳の中央上部及び下部に紐等を通し、当該紐をノートの任意のページに挟み込むことで、手帳からノートがずり落ちないように工夫したものがあり、現在それらは発売されている。
【０００３】
なお、ブックカバー用にブックバンドを利用することで、ブックカバーにノート類を固定することが可能な製品も考案されている。
【先行技術文献】
【特許文献】
【０００４】
【特許文献１】特開2007-230198号 公報
【考案の概要】
【考案が解決しようとする課題】
【０００５】
しかしながら、ノートの表紙、裏表紙をブックカバーに収納する手帳については、例えば、Ａ４サイズの紙を複数回折りたたんだ形状の用紙をブックカバーに収納すると、記載及び内容の確認が困難となる。また、手帳の中央上部及び下部にバンド紐等を通し、当該バンド紐をノートの任意のページに挟み込むことで、手帳からノートがずり落ちないように工夫した手帳については、Ａ４サイズの紙を複数回折りたたんだ形状の用紙を複数枚挟み込んだ場合、手帳から当該用紙がずり落ちてしまうことがある。手帳の用途として、スケジュール表だけを使う場合、当該用意は１枚でも用を成す。
【０００６】
しかし、それ以外のメモ帳等の用紙が必要となった場合、当該用紙は複数枚必要となる。その場合、手帳の中央上部及び下部にバンド紐等を通し、当該バンド紐をノートの任意のページに挟み込む手帳に複数枚の用紙を挟み込むことになるが、その場合、奥側に挟み込んだ紙に対しては、当該バンド紐によるずり落ち防止効果が及びにくいため、当該紙が手帳から紙がずり落ちやすくなる。
【０００７】
また、ブックカバー用にブックバンドを利用することで、ブックカバーにノート類を固定することが可能な商品の場合は、前提条件が１つのノートを固定することにあるから取り扱いが不便である。
【０００８】
よって、従来存在する考案によって、これらの課題は解決できない。
【０００９】
本考案は、複数回折りたたんだ紙を、複数枚利用する場合の取り扱いに関する不便さの解消を提供する。
【課題を解決するための手段】
【００１０】
折りたたみ型の手帳で、手帳の表側には紙を収納でき、手帳の表側から当該紙の内容が見え、書き込み可能とする窓枠状の開口部のある収納ポケットを備え、手帳を開いた場合に、手帳の中央部上下に紙を挟みこめるバンド紐を備え、当該紙は、内容が見え、書き込むことができ、利用用途に応じて紙をバンド紐による固定するか、もしくは収納ポケットへの収納するかを選択できることを特徴とする収納ポケット付手帳。
【００１１】
収納ポケットには、Ａ４サイズの紙を折りたたんだＡ７サイズの紙を収納でき、手帳を開いた場合、Ａ４サイズの紙を折りたたんだＡ６サイズの紙を挟みこむことを特徴とする収納ポケット付手帳
【考案の効果】
【００１２】
このように、本考案によれば、利用者は複数回折りたたんだ紙の利用用途に応じて、バンド紐による固定、もしくは収納ポケットへの収納を選択することが可能になる。
【００１３】
例えば、Ａ４サイズを３つ折にしたＡ７サイズで取り扱う場合、スケジュール表は頻繁に見開いて使用するので、手帳のバンド紐で固定して使用する。メモ帳については、手帳を取り出した際に直ぐに使用したいので、収納ポケット部に収納するなど、利用状況に応じた、手帳の活用方法が可能となる。
【図面の簡単な説明】
【００１４】
【図１】手帳の全体構成である。
【図２】手帳の収納ポケットに紙を収納する図である。
【図３】手帳の見開き部に紙をバンド紐で固定する図である
【考案を実施するための形態】
【００１５】
以下、本考案の実施の形態について、図を参照しながら説明する。
【００１６】
［手帳の構造］
図１は、本考案に係る手帳の構造を示している。
【００１７】
手帳１０１は、半分に折りたたむことができる。手帳の表側に窓枠の様な開口部１０２１がある収納ポケット１０２を備えている。この開口部１０２１を通して、鉛筆などで収納ポケット１０２におさめられて折りたたんだ紙に書き込むことができる。手帳中央の上部及び下部に掛けて、紙を挟みこむためのバンド紐１０３を備えている。
【００１８】
図２は、手帳の収納ポケットに紙を収納する方法を示している。
【００１９】
まず、Ａ４サイズの紙を３回折りたたみ（２０１）、Ａ７サイズにする（２０２）
【００２０】
次に、表示したい面を手帳の外側方向に向けて、収納ポケットの開口部から差し込む（２０３）。
なお、差し込まれた紙に対して、手帳表面にある収納ポケットの開口部を通じて、紙面に直接鉛筆などで書き込むことか可能である。
【００２１】
図３は、手帳を開いて、バンド紐へ紙を固定する方法を示している。
【００２２】
まず、Ａ４サイズの紙を３回折りたたみ（３０１）、Ａ７サイズにしたものを見開き、Ａ６サイズにする（３０２）。このＡ６サイズは収納ポケットに収納するＡ７サイズの紙の横幅が２倍の大きさの紙となる。
【００２３】
次に、表示したい面を手帳のバンド紐の下を潜らせて指し込み、固定する。紙を潜らせにくい場合は、紙の水平方向を少々丸め、バンド紐の下を潜らせるものとする（３０３）。
【符号の説明】
【００２４】
１０１   手帳
１０２   手帳ポケット部
１０２１ 開口部
１０３   手帳中央部の上部と下部を結ぶバンド紐
２０１   Ａ４サイズの紙の折りたたみ方法
２０２   Ａ７サイズに折りたたまれた紙
２０３   収納ポケットへの紙の収納の方法
３０１   Ａ４サイズの紙の折りたたみ方法
３０２   Ａ７サイズを見開き、Ａ６サイズの紙にする方法
３０３   バンド紐への紙の固定方法
【図１】
0003165618.tif 000003
【図２】
0003165618.tif 000004
【図３】
0003165618.tif 000005